(57)【要約】      （修正有）【課題】必要なスペースと手間を少なくすることができ介護にも健常者の化粧にも使用できる。【解決手段】分割式エプロンは、エプロン本体と、受け具２に分割でき、フック状の部分と４の接続用ベルトにより、簡単に２の受け具の部分の装着、取り外しができる。エプロン本体も、両面テープ５、６により簡単に装着、取り外しができる。受け具は、形状、大きさ等を複数用意し、食事、化粧、体格などに合わせ選択し、エプロンと最適な組み合わせで、使用することが出来る。【選択図】図２
0003116967.tif 000002
【実用新案登録請求の範囲】
【請求項１】
本考案は、１のエプロン部分と、２の受け具の部分からなり、それを３のフック状の部分で４の接続用バンド部分に簡単に接続、取り外しでき、複数設けられた４の接続ベルトにより、２、２ａ、２ｂ等の形状の違う、受け具の取付け高さの位置の調整ができる、分割式エプロンである。それぞれの素材は、柔軟性のある、防水、耐油素材とし、高温の食物、油性の化粧品にも耐えられる物とする。
【請求項２】
２の受け具の部分は、複数の形状、大きさを用意し、食事、化粧、体格などに合わせ選択できる。受け具を装着しないときは、耐水、耐油性のあるエプロンとして、使用できる。
【請求項３】
本エプロンは、介護のみではなく、化粧、整髪などにも使用でき、２の受け具の形状を変更することにより、上記の目的以外の使用にも、対応できるものとする。
【請求項４】
エプロン部分は、首の後ろ部分の５、６の面テープにより装着するものとする。５の部分の面テープの受け側を長くすることで、使用者の首周りのサイズの違いに対応することができる。
【考案の詳細な説明】
【技術分野】
【０００１】本考案は、体の不自由な病人、老人、障害者の方の食事時の食べこぼしや、健常者の化粧時の化粧品の飛散から、衣服や、寝具の汚れを防ぎ、その処理を素早く簡単に行う事が出来るように考案したものである。
【背景技術】
【０００２】現在まで、病人、老人、障害者の方の食事時の食べこぼしや、健常者の日常の作業時に、種々のエプロンが考案され使用されてきたが、食べこぼしや、化粧品の飛散から衣服や寝具を守るという共通性に着目し、どちらの作業にも使用できる、分割式のエプロンは無かった。
従来の上記目的のために考案されていたエプロンは、大きな本体の第一エプロンの上に、第一エプロンより小さな第二エプロンを重ねるように装着する物や、エプロン本体に設けられた装着部位に、専用の器具をはめ込むなどの方法であった。
【考案の開示】
【考案が解決しようとする課題】
【０００３】今日、一般的に用いられている介護用エプロンでは、リクライニングベッドで食事をする方や、半身になって傾いてしまう方、前のめりになってしまう方などの、食事の食べこぼしなどをうまく受けることができない。
健常者の化粧用として販売されているエプロンもほとんどない。
【課題を解決するための手段】
【０００４】本校案は、エプロン部分と、受け部分を分割式とし、簡単に本体のエプロンと受け部分の着脱を行えるように、装着方法とエプロン、受け部分の工夫をしたものである。
そのために、エプロン部と受け部分を、食事化粧、体型などにより使い分けられるように、受け部分を、目的、用途に適した形状に成型されたプラスチック、ビニールなどで複数種用意し、組み合わせることで、最適形状で使用することができる。
この考案により、食べこぼしや、飛散した化粧品の処理が、今までより素早く清潔に行えるようになる。
【考案の効果】
【０００５】以上の考案、工夫により、今までに実用化されていない、多目的分割式エプロンを提供することができる。
本考案は、エプロンと受け具を分割式とし、受け具を使用目的に最適な形状に成型することによって、使用目的に最大の効果を発揮させることができ、新たな使用目的が発生しても、受け具の形状の変更によって、柔軟に対応することができる。
【考案を実施するための最良の形態】
【０００６】本考案を、実際に使用する場合の基本形となる最良の形態が、図２である。
図２は、１のエプロン本体と、２の受け具の斜視図である。
１のエプロン本体は、首周りの個人差によるサイズの違いを、５の面テープの受け側を長くすることで、調整できる。
４の受け具装着用のベルトを複数段設けることで、２の受け具の装着位置の高さも調整できる。２の受け具の脱着も、簡単に行うこともできる。
図２においては、４の受け具装着用のベルトは、３本示されているが、使用者の要望によっては、２本でも４本でも、また、それ以外の本数でも設けることができるのは、いうまでもない。
２の受け具は、前方への張り出しや、下方への深さなど、その形状、寸法を変えることで使用目的に合った物を用意できる。
１のエプロン本体への脱着も、３のフックを４の受け具装着用ベルトへ差し込むだけで行うことができ、きわめて簡単容易である。
３のフックには、２の受け具の脱落防止のための突起部３ａが設けられていて、２の受け具の装着を確実なものとしている。
以上の理由により、１のエプロン本体と、２の受け具の組み合わせを標準とした、図２に示した本考案の分割式エプロンが、介護の食事時や、化粧時の化粧品の飛散防止など、多目的に使用できる、分割式エプロンの最良の形態である。
【実施例】
【０００７】本考案の分割式エプロンの実施例を、図１、図２、図３、図４，図５，図６によって詳細に説明する。
１のエプロンは、耐水性、耐油性をもち、食物、化粧品等にも耐えられ、柔軟性のある素材で、使用時に快適な質感を持つもので作ることとする。
２、２ａ、２ｂの受け具も、耐水性、耐油性をもち、柔軟性のある素材で、受け具に適した形状に成型されたものとする。【０００８】使用者に装着するための首の後ろ部分に位置する、５，６，の面テープは、５の受け側の面テープを長くすることで、使用者の首周りのサイズの違いに対応できるようにする。エプロンの首周りの形状は、食べ物や、化粧品がエプロンの下の衣服に付着しないように適度な寸法で、首の形状に合わせた円形とする。【０００９】本考案の分割式エプロンの基本形態の正面図、図１を示す。
１はエプロン本体、２は受け具の中の１種、３は受け具の装着用フック部、４は受け具の装着時用のベルト部、５はエプロン装着時の首周り後部の受け側面テープ、６は貼り付け側面テープである。【００１０】図１では、３本になっているが、４のエプロン側に設けた、受け具装着用のベルトを複数以上備えることで、受け具２、２ａ、２ｂの装着時の高さを調整することができる。【００１１】使用者の首周りのサイズの違いを、５の首周り後部の受け側面テープを長くしておくことで、調整できるようにしてある。【００１２】図３の受け具２は、上面から見ると半円状で、先端部から装着部に向かって傾斜した底面を持ち、装着部面は深さのある袋状の形状とする。
この形状により、飛散する物も、下方にしたたるような物も、受け止めることができる。【００１３】図４の受け具２ａは、２の受け具に比べ、上面から見た前方への張り出しが少なく、装着部面は、より深くなっており、２の受け具よりさらに下方にしたたるような物の受け具として適している。【００１４】図５の受け具２ｂは、２の受け具に比べ、上面から見た前方への張り出しが大きく、装着部面は、浅くなっており、２の受け具よりさらに飛散するような物の受け具として、適している。【００１５】図６は、エプロンと受け具の装着時の断面図である。
１のエプロンに設けられた４のベルトに、２の受け具の３のフック部を差し込むことで簡単に装着、取り外しができる。
３のフック部には、不用意に抜けるのを防ぐため、３ａの突起部を設けてある。
【図面の簡単な説明】
【００１６】
【図１】本考案の分割式エプロンの基本的な部位を示す正面図である。
【図２】本考案の分割式エプロンの装着時を想定した、斜視図である。
【図３】本考案の分割式エプロンに装着する、受け具の１種、２の斜視図である。
【図４】本考案の分割式エプロンに装着する、受け具の１種、２ａの斜視図である。
【図５】本考案の分割式エプロンに装着する、受け具の１種、２ｂの斜視図である。
【図６】本考案の分割式エプロンに、受け具の１種、２を装着した状態の断面図である。
【符号の説明】
【００１７】１                エプロン本体
２、２ａ、２ｂ    受け具
３                受け具装着用のフック部
３ａ              フック部の抜け防止突起部
４                エプロンの受け具装着用のベルト部
５                エプロンの装着用の首周り後部にある面テープ受け側
６                エプロンの装着用の首周り後部にある面テープ貼り付け側
【図１】
0003116967.tif 000003
【図２】
0003116967.tif 000004
【図３】
0003116967.tif 000005
【図４】
0003116967.tif 000006
【図５】
0003116967.tif 000007
【図６】
0003116967.tif 000008
【手続補正書】
【提出日】平成17年8月26日(2005.8.26)
【手続補正１】
【補正対象書類名】実用新案登録請求の範囲
【補正対象項目名】全文
【補正方法】変更
【補正の内容】
【実用新案登録請求の範囲】
【請求項１】
エプロン本体と受け具とからなり、受け具がエプロン本体から分離されてなる分割式エプロンにおいて、前記エプロン本体は受け具の装着用ベルトを具備し、前記受け具は受け具の装着用フックを具備することを特徴とする分割式エプロン。
【請求項２】
請求項１に記載の分割式エプロンにおいて、受け具に抜け防止突起部を有し、装着用ベルトから受け具が不用意に離脱しないことを特徴とした分割式エプロン。
【請求項３】
請求項１に記載の分割式エプロンにおいて、形状の異なる受け具を着け替え可能に具備したことを特徴とした分割式エプロン。
【請求項４】
請求項１に記載の分割式エプロンにおいて、エプロン本体の首回り後部に設けられた装着面テープの受け側部を装着用面テープ貼り付け側部より長くまちをとることを特徴とした分割式エプロン。
【手続補正２】
【補正対象書類名】明細書
【補正対象項目名】全文
【補正方法】変更
【補正の内容】
【考案の詳細な説明】
【技術分野】
【０００１】  本考案は、身体不自由な病人・障害者・老人・健常者の食事、化粧時、作業時の食べこぼし、化粧品の飛散による衣服及び寝具等のよごれを防止するためにエプロン本体と受け具を分割することにより、受け具の着脱を容易にした分割式エプロンに関するものである。
【背景技術】
【０００２】  従来上記目的のために考案されていたエプロンは、大きい本体エプロンの上に小さいエプロンを重ねるように装着するものや、エプロン本体に設けられた装着部位に専用器具そのものを装着するといったエプロンである。
【考案の開示】
【考案が解決しようとする課題】
【０００３】  市販されている介護用エプロンでは、リクライニングベット等で食事をする方、半身になって傾いてしまう方、前のめりになってしまう方などの、食事等の食べこぼしなどをうまく受けとめることができない。また、健常者の化粧用として市販されているエプロンもあまり類がない。
【課題を解決するための手段】
【０００４】  本考案は、受け具をエプロン本体から分離することにより、その問題解決をはることにした。
エプロン本体に複数段の受け具装着用ベルトと受け具装着用フックをもうけて、形状の異なる受け具を具備することにより上記課題を解決することができる。体型の違いを考慮して首周りのエプロンを身体に固定するための面テープの受け側と貼り付け側の長さを変えることにより使用者の身体のサイズの違の問題を解消した。
また、装着した受け具の安定をはかるためにフック部の抜け防止突起部をもうけたことにより、使用者が安定して食事や化粧時に食べこぼしや、化粧品の飛散を防止でき、後処理の掃除等も素早くおこなえるようにした。
【考案の効果】
【０００５】  本考案は、分割式エプロン本体と受け具を分割することにより、使用目的に合わせて受け具を選択できることにより、目的に合わせてその効果を最大に発揮することができる。
新たな使用目的が発生しても受け具の形状を変更をすることが可能であり、柔軟かつ多機能に対応することを具備した分割式エプロンである。
【考案を実施するための最良の形態】
【０００６】  分割式エプロン本体の首周りサイズ違いの個人差を、装着用面テープ受け側を長くすることにより調整することができ、受け具装着用のベルトを複数段設けることにより、受け具の装着位置の高さも調整できる。  受け具の脱着も簡単容易におこなえて、受け具装着用のベルトは、本考案の図面では３本示しているが、使用者の要望によっては受け具装着用のベルトを増減できる自在性をゆうしている。受け具２は前方への張出し又は、下方への深さなど、その形状及び寸法も変更することができ、個々の使用目的に対応することができ、受け具の装着用フック部を受け具装着用ベルトに差込むだけの容易な操作で脱着が簡単である。
【実施例】
【０００７】  分割式エプロン本体１の素材は、耐水性、耐油性を有する柔軟性のある素材を用いて食物、化粧品等にもたえる素材とし、使用者の違和感のない快適な質感を持たせて作ることとする。また、受け具２、２ａ、２ｂも耐水性、耐油性をもった柔軟性のある素材を使用することにより、軽量かつ洗浄が容易にできるものとする。【０００８】  分割式エプロン本体１の首周りの形状を円形状とすることにより、食べ物や、化粧品等が分割式エプロン本体１の隙間からの衣服等への汚れを防止することができる。【０００９】  分割式エプロン本体１側に設けた受け具装着用のベルト部４を複数備えることで、受け具２、受け具２ａ、受け具２ｂの装着時の高さを自在に調節することができる。【００１０】  装着面テープ受け側５の長さを装着面テープ貼り付け側６より、長くすることにより、使用者の首周りサイズの違いを自在に調整することを可能とした。【００１１】  受け具２は上面から見ると半円形状で先端部から装着部に向かって傾斜した底面を持ち装着部面は深さのある袋状の形状とすることにより、飛散する物や下方にしたたるような物も受け止めることができる。【００１２】  受け具２ａは受け具２に比べ上面から見た前方への張出部分が少なく装着部面は、より深くなっており、受け具２よりさらに下方向にしたたるような物の受け具として適している。【００１３】  受け具２ｂは、受け具２に比べて上面から見た前方への張出部分が大きく、装着部面は浅く受け具２よりさらに前方向に物が飛散する場合に適している。【００１４】  分割式エプロン本体１に設けられた装着用ベルト部４のベルトに受け具２の受け具の装着用フック部３のフック部を差込むことで簡単に装着取り外しができ、装着用フック部３のフック部には不用意に抜けることを防止用の抜け防止部３ａの突起部を具備した。
【図面の簡単な説明】
【００１５】
【図１】・・分割式エプロン本体を示す正面図である。
【図２】・・分割式エプロン本体と受け具２の装着時を示す斜視図である。
【図３】・・受け具２を示す斜視図である。
【図４】・・受け具２ａを示す斜視図である。
【図５】・・受け具２ｂを示す斜視図である。
【図６】・・受け具２の装着時を示す断面図である。
【符号の説明】
【００１６】  １        エプロン本体
２        受け具
２ａ      受け具
２ｂ      受け具
３        受け具の装着用フック部
３ａ      抜け防止突起部
４        受け具の装着用ベルト部
５        装着用面テープ受け側
６        装着用面テープ貼り付け側